(57)【要約】      （修正有）【課題】振り分け付勢される移動部材とベール支持部材の連結部の耐久性の向上を図り、ベール支持部材の円滑な反転動作が得られるベール反転機構を備えた魚釣用スピニングリールを提供する。【解決手段】魚釣用スピニングリールは、ロータのアーム部３ａに、ベールを装着したベール支持部材９を反転可能に支持すると共に、アーム部３ａ内に、ベール支持部材９を釣糸巻き取り位置と釣糸放出位置との間で反転可能に振り分け付勢保持するベール反転機構１５を備えている。ベール反転機構１５は、ベール支持部材９の基部に形成した嵌合穴９ｄに嵌合する屈曲部１８ａを具備すると共に、バネ２０によって付勢される移動部材１８を備え、屈曲部１８ａの外周と嵌合穴９ｄの内周との間に、筒状の支持部材６０を介在したことを特徴とする。【選択図】図２
2020156317.tif 000002
【特許請求の範囲】
【請求項１】
リール本体に設けられ、ハンドルの巻き取り操作に連動回転するロータを備え、前記ロータのアーム部に、ベールを装着したベール支持部材を反転可能に支持すると共に、前記アーム部内に、前記ベール支持部材を釣糸巻き取り位置と釣糸放出位置との間で反転可能に振り分け付勢保持するベール反転機構を備えた魚釣用スピニングリールにおいて、
前記ベール反転機構は、前記ベール支持部材の基部に形成した嵌合穴に嵌合する屈曲部を具備すると共に、付勢部材によって付勢される移動部材を備え、
前記屈曲部の外周と前記嵌合穴の内周との間に、筒状の支持部材を介在したことを特徴とする魚釣用スピニングリール。
【請求項２】
前記筒状の支持部材は、前記ベール支持部材の反転時に、前記嵌合穴内で微動可能に嵌合されていることを特徴とする請求項１に記載の魚釣用スピニングリール。
【請求項３】
前記筒状の支持部材は、前記移動部材の屈曲部の外周に相対回転可能に嵌合されていることを特徴とする請求項１又は２に記載の魚釣用スピニングリール。
【請求項４】
前記筒状の支持部材は、前記嵌合穴に対して抜け止め規制されていることを特徴とする請求項１から３のいずれか１項に記載の魚釣用スピニングリール。
【請求項５】
前記筒状の支持部材の抜け止め規制は、前記移動部材の端部側に取着して前記付勢部材を係止する係止部材で抜け止めされることを特徴とする請求項４に記載の魚釣用スピニングリール。
【発明の詳細な説明】
【技術分野】
【０００１】
本発明は、魚釣用スピニングリールに関し、詳細には、ベール反転機構に特徴を有する魚釣用スピニングリールに関する。
【背景技術】
【０００２】
一般的に、魚釣用スピニングリールは、ハンドルの巻き取り回転操作によって、連動回転するロータ及び前後動するスプールを備えた構造となっており、前記ロータには、スプールの周りを回転する一対のアーム部が取り付けられている。これら一対のアーム部の先端には、ベール支持部材が振り分けバネ（付勢部材）を有するベール反転機構によって釣糸巻き取り位置と釣糸放出位置に回動（反転）可能に振り分け支持されている（例えば、特許文献１等）。
【０００３】
前記ベール反転機構は、ベール支持部材の基部内側の嵌合穴に端部が回動可能に係合され、ベール支持部材の反転移動に連動して揺動する棒状の移動部材（作動部材）を備えており、ベール支持部材が反転移動する際に、釣糸巻き取り位置と釣糸放出位置の両位置に振り分け力が作用するように、前記移動部材は弾発付勢されている。
【先行技術文献】
【特許文献】
【０００４】
【特許文献１】特開２０１１−２２３９６４号
【発明の概要】
【発明が解決しようとする課題】
【０００５】
上記した魚釣用スピニングリールは、実釣時において、ベール支持部材が繰り返して反転操作され、その都度、前記振り分けバネによる付勢力が、移動部材とベール支持部材の連結部（ベール支持部材の嵌合穴と作動部材の端部との係合部）に局部的に作用する。また、魚釣用スピニングリールは、海水、水等が付着、滞留し易い環境の厳しい釣場等で使用される影響で、前記連結部が反転時の振り分けバネによる摩擦力発生で摩耗し易いと共に、海水、水等による腐食の影響を受けて連結部の支持状態が悪化する可能性がある。すなわち、ベール支持部材の反転性能が安定しないと共に、耐久性も低下する等の課題が残されている。
【０００６】
本発明は、上記した問題に着目してなされたものであり、振り分け付勢される移動部材とベール支持部材の連結部の耐久性の向上を図り、ベール支持部材の円滑な反転動作が得られるベール反転機構を備えた魚釣用スピニングリールを提供することを目的とする。
【課題を解決するための手段】
【０００７】
上記した目的を達成するために、本発明は、リール本体に設けられ、ハンドルの巻き取り操作に連動回転するロータを備え、前記ロータのアーム部に、ベールを装着したベール支持部材を反転可能に支持すると共に、前記アーム部内に、前記ベール支持部材を釣糸巻き取り位置と釣糸放出位置との間で反転可能に振り分け付勢保持するベール反転機構を備えた魚釣用スピニングリールにおいて、前記ベール反転機構は、前記ベール支持部材の基部に形成した嵌合穴に嵌合する屈曲部を具備すると共に、付勢部材によって付勢される移動部材を備え、前記屈曲部の外周と前記嵌合穴の内周との間に、筒状の支持部材を介在したことを特徴とする。
【０００８】
上記した構成の魚釣用スピニングリールでは、ベール支持部材は、ベール反転機構によって、アーム部に対して釣糸放出位置と釣糸巻き取り位置との間で回動すると共に、前記付勢部材の付勢力によって両位置で振り分け保持される。前記ベール反転機構は、ベール支持部材を振り分け保持するように、前記付勢部材によって付勢される移動部材を備えており、この移動部材の屈曲部の外周と、これを受けるベール支持部材の嵌合穴の内周との間の連結部に、筒状の支持部材を介在したことで、連結部が摩耗することが抑制される（耐久性が向上する）と共に、摺動性が向上し、ベール支持部材の反転性能が安定する。
【発明の効果】
【０００９】
本発明によれば、振り分け付勢される移動部材とベール支持部材の連結部の耐久性が向上し、ベール支持部材の円滑な反転動作が得られるベール反転機構を備えた魚釣用スピニングリールが得られる。
【図面の簡単な説明】
【００１０】
【図１】本発明に係る魚釣用スピニングリールの一実施形態を示す図であり、アーム部及びベール支持部材の内部構成を示した図。
【図２】図１に示す魚釣用スピニングリールにおいて、ベール支持部材が釣糸巻き取り位置に振り分け保持された状態を示す図。
【図３】図１に示す魚釣用スピニングリールにおいて、ベール支持部材が釣糸放出位置に振り分け保持された状態を示す図。
【図４】アーム部に対してベール支持部材を回動可能に支持する回動支持部に装着される摺動体を示す図であり、（ａ）は平面図、（ｂ）は側面図、（ｃ）は図（ａ）のＡ−Ａ線に沿った断面図。
【図５】図１の主要部の拡大図。
【図６】ベール反転機構を構成する作動部材の係合部分の分解斜視図。
【図７】ベール反転機構を構成する作動部材の係合部分を軸方向から見た図。
【図８】ベール反転機構を構成する作動部材の係合部分を側方から見た図。
【発明を実施するための形態】
【００１１】
図１は、本発明に係る魚釣用スピニングリールの一実施形態を示す図である。
魚釣用スピニングリール１は、釣竿に装着するための竿取付け部２ａが形成されたリール本体２と、リール本体前方に回転可能に配されたロータ３と、ロータ３の回転運動と同期して前後動可能に配されたスプール５とを備えている。前記リール本体２には、ハンドル６が回転可能に支持されており、ハンドル６を巻き取り操作することで、リール本体２内に配設された公知の駆動力伝達機構を介して前記ロータ３は回転駆動され、かつ公知のオシレーティング機構を介して前記スプール５は前後往復駆動される。
【００１２】
前記ロータ３には、略１８０°の間隔をおいて一対のアーム部３ａが対向するように形成されており、夫々の前端部には、ベール８の基端部を取り付けたベール支持部材９が釣糸放出位置と釣糸巻き取り位置との間で回動（反転）可能に支持されている。ベール支持部材９は、後述するベール反転機構１５によって、釣糸放出位置と釣糸巻き取り位置に振り分け保持されるようになっている。なお、ベール８の一方の基端部は、ベール支持部材９に一体的に設けられた釣糸案内部９ａに取り付けられている。
【００１３】
上記した構成により、ハンドル６を巻き取り操作することで、ロータ３が回転駆動され、かつスプール５が前後動されるので、釣糸は、釣糸案内部９ａを介してスプール５に均等に巻回される。また、釣糸を放出する（仕掛けを投擲する）場合、ベール支持部材９（ベール８）を、図１に示す釣糸巻き取り位置から釣糸放出位置に反転操作して、釣糸を釣糸案内部９ａから外して釣竿を振り下ろすことで行なわれる。そして、釣糸を放出した後は、再び、ベール支持部材９（ベール８）を、図１に示す釣糸巻き取り位置に反転復帰させる。このとき、釣糸はベール８によってピックアップされ、釣糸案内部９ａに案内される。
なお、釣糸放出位置にあるベール支持部材９は、公知の自動復帰機構（図示せず）によって、ハンドル６を巻き取り操作することで、釣糸巻き取り位置へ自動で反転復帰することが可能となっている。
【００１４】
次に、図２から図８を参照して、ベール反転機構の構成について説明する。
これらの図において、図２は、ベール支持部材が釣糸巻き取り位置に振り分け保持された状態を示す図、図３は、ベール支持部材が釣糸放出位置に振り分け保持された状態を示す図、図４は、アーム部に対してベール支持部材を回動可能に支持する回動支持部に装着される摺動体を示す図であり、（ａ）は平面図、（ｂ）は側面図、（ｃ）は図（ａ）のＡ−Ａ線に沿った断面図、図５は、図１の主要部の拡大図、図６は、ベール反転機構を構成する作動部材の係合部分の分解斜視図、図７は、ベール反転機構を構成する作動部材の係合部分を軸方向から見た図、そして、図８は、ベール反転機構を構成する作動部材の係合部分を側方から見た図である。
【００１５】
ベール反転機構１５は、ロータ３の一方のアーム部３ａ内に配設されており、本実施形態では、釣糸案内部９ａが設けられている側のアーム部内に配設されている。この場合、アーム部３ａの内面（対向面）３Ｂは、カバー体３Ａを被着することで閉塞される（図２及び図３は、カバー体３Ａを外した状態を示している）。すなわち、ベール反転機構１５は、アーム部の内面３Ｂとカバー体３Ａとの間の内部空間内に配設されている。
【００１６】
前記ベール支持部材９とアーム部３ａは、回動支持部で面接した状態となっており、この面接状態で、ベール支持部材９は、アーム部３ａに対して摺動しながら回動される。具体的に、前記回動支持部は、ベール支持部材９に形成された円形の孔部９ｂに対して、アーム部３ａに形成された断面円形の突出部３ｂが嵌まり込んだ状態で構成されており、その状態で突出部３ｂに形成されたネジ孔３ｂ´に対して、外方からネジ部材４が螺入されることで、ベール支持部材９は、アーム部３ａに対して回動可能に抜け止め支持される。したがって、ベール支持部材９とアーム部３ａの回動支持部は、突出部３ｂの外周面とベール支持部材の孔部９ｂの内周面とが面接触した状態、及び、突出部３ｂの径方向外方の領域の平坦面同士が面接触した状態で、ベール支持部材９は摺動しながら回動する。
【００１７】
上記した回動支持部における回動摺動では、ベール８が変形等して抉れるような力が作用すると、ベールの反転操作時に、面接触する領域で局部的（片当たり）な摩擦抵抗が発生してしまい、反転作動性が悪くなったり、摩耗が促進されてしまうという問題が生じるが、本実施形態では、回動時の接触領域（摺動が成される部分）に、図４に示すような略円形の座面５１と、円筒状の筒部５２を一体形成した摺動体５０を配設することで、摺動面の滑り性を確保するようにしている。
【００１８】
前記摺動体５０は、低摩擦係数で摺動性の良好な材料であり、例えば、ポリアセタール（ＰＯＭ）、四フッ化エチレン樹脂（ＰＴＦＥ）、ナイロン（ＰＡ）等の樹脂材で一体形成することが可能であり、樹脂材料による摺動体５０が回動支持部の面接触する領域に介在した状態になることで、滑り性の向上が図れ、円滑な回動操作が得られる。摺動体５０は、単なるカラー部材やワッシャとは異なり、ベール支持部材９が回動するに際して、摺動抵抗が作用する突出部の外周面、及び、突出部の径方向外方の平坦面領域の全てに介在された状態（座面５１と筒部５２が一体形成される）となることから、ベール支持部材やアーム部の構成材料を考慮して、適切な材料（電食などが生じない材料）で形成することで、長期にわたって円滑な回動が実現できる。
なお、このように形成された摺動体５０は、アーム部３ａの突出部３ｂに筒部５２を嵌め込み、その状態でベール支持部材９の孔部９ｂを突出部３ｂに嵌め込むだけで簡単にセットすることが可能である。また、前記摺動体５０の座面５１には、後述する移動部材１８が回動した際、その先端領域（屈曲部１８ａ）が移動できるように、円弧状の切欠き５３が形成されている。
【００１９】
上記したアーム部３ａの突出部３ｂの周囲には、円弧状の長穴３ｃが形成されており、ベール支持部材９を回動させた際、ベール支持部材９の孔部９ｂの径方向外方に突出形成された凸部９ｃが長穴３ｃ内を移動するようになっている。この場合、ベール支持部材９に形成される凸部９ｃは、釣糸巻き取り位置と釣糸放出位置になったとき、それぞれ長穴３ｃの端面３ｄ及び端面３ｅに当て付いて回動が規制されるようになっている（図２及び図３参照）。
【００２０】
また、上記した摺動体５０は、単にアーム部３ａとベール支持部材９との間に介在する構成であっても良いが、摺動体５０の座面５１に、前記凸部９ｃが嵌入するように開口５４を形成しておき、ベール支持部材９と共に一体回動できるように構成することが好ましい。
【００２１】
前記ベール反転機構１５は、アーム部３ａの略中心部分に支軸１６ａを中心として回動可能に支持された筒状の保持体１６と、保持体１６内に挿通されると共に、保持体と一体的に回動する棒状の移動部材１８と、移動部材１８を付勢する付勢部材２０とを備えている。この場合、付勢部材２０は、移動部材１８を囲繞するように配設されたコイルバネ（以下、バネ２０とする）によって構成されており、ベール支持部材９を、釣糸放出位置と釣糸巻き取り位置とに振り分け保持する機能を有する。なお、移動部材１８は、保持体１６を貫通するように配設されており、前記バネ２０は、一端が保持体１６の底部に当て付けられ、かつ、他端が後述する回転防止部材２８に当て付けられた状態で移動部材１８に係合している。
【００２２】
前記棒状の移動部材１８の先端部は、外側に折り曲げられており（折り曲げられた部分を屈曲部１８ａとする）、この屈曲部１８ａは、ベール支持部材９の内側の基部（孔部９ｂの近傍）に形成された嵌合穴９ｄに嵌合されている。なお、移動部材１８は、支持アーム３ａの内面３Ｂに沿って延出しており、その基端側は、リール本体側に向けて延出し、ベール支持部材９が釣糸巻き取り位置から釣糸放出位置に反転された際、その端部１８ｂが公知の自動復帰機構（図示せず）の反転部材に係合可能となっている。この自動復帰機構は、ハンドルを巻き取り操作してロータが回転駆動されると、ロータに設けられた係合部が反転部材に当接して移動部材１８を釣糸巻き取り位置に復帰させる機能を有する。
【００２３】
上記した嵌合穴９ｄは、屈曲部１８ａが嵌合するような形状（屈曲部１８ａの断面形状と略等しい形状；円形状）で構成することができるが、本実施形態では、移動部材１８が図２で示す釣糸巻き取り位置と、図３で示す釣糸放出位置との間で回動する際、屈曲部１８ａが微動（遊度をもって嵌合）できるように、楕円形状に形成されている。
【００２４】
このように、移動部材１８の屈曲部１８ａを、楕円形状の嵌合穴９ｄに対して遊度を持たせて係合させる（微動可能に嵌合させる）ことで、移動部材１８が図２で示す釣糸巻き取り位置と、図３で示す釣糸放出位置に振り分け保持される際、その付勢力で嵌合穴９ｄの端部に当て付くようにすることができ、ベールの反転動作に節度感（クリック音）を生じさせることができる。
【００２５】
前記移動部材１８の屈曲部１８ａと嵌合穴９ｄは、上記したように、ベール支持部材９が反転するときに、バネ２０の押圧付勢力を受けることから、摩耗し易いと共に、海水、水等による腐食の影響を受けて、両者の支持状態が悪化し易い部分となっている。このため、屈曲部１８ａの外周には、嵌合穴９ｄの内周との間で、摺動性が良く摩耗が生じ難くなるように、低摩擦係数で摺動性の良好な材料、例えば、ポリアセタール（ＰＯＭ）、四フッ化エチレン樹脂（ＰＴＦＥ）、ナイロン（ＰＡ）等の樹脂材で一体形成された筒状の支持部材（以下、カラー部材と称する）６０が配設されている。
【００２６】
この場合、カラー部材６０は、屈曲部１８ａに固定しておいても良いが、屈曲部１８ａの外周に相対回転可能となるように配設しておくことが好ましい。すなわち、カラー部材６０が固定状態ではなくフリー状態になっていることで、ベールの反転動作を安定して滑らかにすることが可能となる。特に、本実施形態では、上述したように、ベール支持部材９側の嵌合穴９ｄを、屈曲部１８ａが移動する際に微動できるように楕円形状としており、屈曲部１８ａの外周に配設されたカラー部材６０が、嵌合穴９ｄの両端に付勢力で当て付くようにしている（図２，図３参照）。嵌合穴９ｄと屈曲部１８ａとの間にカラー部材６０が介在していることで、屈曲部１８ａや嵌合穴９ｄの破損等が効果的に防止され、更には、カラー部材６０が嵌合穴９ｄ内で微動する際の摺動も滑らかになり、安定したベールの反転機能が得られるようになる。
【００２７】
前記回転防止部材２８は、前記嵌合穴９ｄと対向する側に平面部２８ａを具備しており、平面部２８ａをベール支持部材９と対向する支持アーム３ａの対向面（本実施形態では、前記支持アームの内面３Ｂとされる）に当接させている。この場合、平面部２８ａについては、移動部材１８に対して軸方向から装着される別体の部材（以下、このような部材を回転防止部材と称する）２８によって構成することが可能である。
【００２８】
前記回転防止部材２８は、図６で示すように、板状の部材（本体２８Ａ）の両側を折り曲げることで形成することが可能であり、その一端側を屈曲して平面部２８ａを形成し、他端側を屈曲して抜け止め壁２８ｂを形成している。また、前記本体２８Ａには、移動部材１８を挿通させる嵌合孔２８ｄが形成されている。前記抜け止め壁２８ｂには、屈曲部１８ａを位置付けして受けるように、Ｕ字状の溝２８ｃが形成されている。この抜け止め壁２８ｂを設けることで、上記した屈曲部１８ａに配設されるカラー部材６０を抜け止め状態に維持し安定させることが可能となる。
【００２９】
なお、前記回転防止部材２８の本体２８Ａは、移動部材１８を囲繞して配設されるバネ２０の端部を当て付けて、上記した保持体１６との間でバネ２０を保持する機能、すなわち、付勢部材であるバネ２０を係止する係止部材としての機能を兼ね備えている。この場合、移動部材１８には、バネ２０の付勢力によって、軸方向回りに捩れる力が作用することもあるが、回転防止部材２８の平面部２８ａと内面３Ｂとの当接関係によって移動部材１８の回転が防止されるため、ベール支持部材９の反転復帰時において、移動部材１８が軸回りに回転することが防止され、安定した反転作用が得られる。
【００３０】
次に、上記した構成の魚釣用スピニングリールのベール反転機構１５の作用について説明する。
ベール支持部材９を、図１及び図２に示す釣糸巻き取り位置から釣糸放出位置に回動操作すると、図３に示すように、アーム部３ａに形成された長穴３ｃに沿ってベール支持部材９の凸部９ｃが移動し、長穴３ｃの端面３ｅに当て付いて回動が規制される。そして、この位置（釣糸放出位置）は、前記移動部材１８を付勢するバネ２０の付勢力によって振り分け保持される。この回動操作時にデッドポイントを超えたとき、移動部材１８の屈曲部１８ａに配設されるカラー部材６０が嵌合穴９ｄ内で微動し、バネ２０の付勢力で嵌合穴９ｄの端部に当て付き、ベールが釣糸放出位置に回動したことが節度感（クリック音）によって把握することができる。
【００３１】
そして、仕掛け投擲後、ハンドル６を巻き取り操作するか、或いは、ベール８を摘まんで反転操作することで、アーム部３ａは、釣糸巻き取り位置に反転復帰する。このとき移動部材１８は、バネ２０のデッドポイントを超え、図２に示す釣糸巻き取り位置に反転復帰すると共に、移動部材１８の屈曲部１８ａに配設されるカラー部材６０が嵌合穴９ｄ内で微動して嵌合穴９ｄの端部に当て付き、ベールが釣糸巻き取り位置に復帰したことが節度感（クリック音）によって把握することができる。
【００３２】
上記したように、嵌合穴９ｄと屈曲部１８ａとの間には、カラー部材６０が介在された状態になっていることで、屈曲部１８ａや嵌合穴９ｄが摩耗したり、破損することが防止され、安定した反転動作が得られる。特に、嵌合穴９ｄを楕円形状にして遊動を持たせて屈曲部１８ａを嵌合させる構成であっても、上記したように、繰り返しのベールの反転動作によって、嵌合穴部分が摩耗したり、海水によって電食が生じることがなく、ベールの回動の節度感が低下したり、クリック音が小さくなることが防止される。
【００３３】
また、そのようなカラー部材６０は、上記した回転防止部材２８の抜け止め壁２８ｂによって変動することが規制されているため、係合状態が長期に亘って安定し、上記した作用効果を長期に亘って発揮することが可能となる。
【００３４】
また、前記ベール支持部材９が、釣糸放出位置と釣糸巻き取り位置との間で回動するにあたって、ベール支持部材９とアーム部３ａとの間の回動支持部には、座面５１と筒部５２を一体形成した摺動体５０が介在されているため、回動動作が滑らかになると共に、ベール支持部材９及びアーム部３ａの摺動部分が摩耗することはなく、長期間に亘って安定した回動操作が行なえるようになる。すなわち、ベール８が変形等して、抉れるような力や不規則で局部的に摩擦抵抗が作用しても、筒部５２に加えて座面５１が面受けした状態となって回動時における周方向の摺動が安定し、滑らかな回動動作が得られて最適なベール機能が維持できる。特に、本実施形態では、摺動体５０をベール支持部材に取着（摺動体５０の開口５４をベール支持部材９の凸部９ｃに嵌合して取着）して、ベール支持部材９と共に一体回動可能にしたことで、より滑らかで安定した回動操作が行なえるようになる。
【００３５】
以上、本発明の実施形態について説明したが、本発明は、上記した構成に限定されることはなく、種々変形することが可能である。
【００３６】
本発明は、ベール支持部材９の基部に形成した嵌合穴９ｄに嵌合する移動部材１８の屈曲部１８ａにカラー部材６０を配設したことに特徴があり、これ以外の構成については、上記した実施形態の構成に限定されることはなく、種々変形することが可能である。例えば、ベール反転機構１５の構成については、上記した実施形態に限定されることは無く種々変形することが可能である。
【符号の説明】
【００３７】
１  魚釣用スピニングリール
３  ロータ
３ａ  アーム部
３ｂ  突出部
３Ａ  カバー体
３Ｂ  内面（対向面）
９  ベール支持部材
９ｂ  孔部
９ｄ  嵌合穴
１５  ベール反転機構
１８  移動部材
１８ａ  屈曲部
２０  付勢部材（バネ）
６０  カラー部材
【図１】
2020156317.tif 000003
【図２】
2020156317.tif 000004
【図３】
2020156317.tif 000005
【図４】
2020156317.tif 000006
【図５】
2020156317.tif 000007
【図６】
2020156317.tif 000008
【図７】
2020156317.tif 000009
【図８】
2020156317.tif 000010